(57)【要約】【課題】この発明はディスク型メモリの中央の貫通孔に掛止める係止部の外周を拡縮可能として、容易に着脱することができる係止部を備えたディスク型メモリ収納ケース、および他のメディア類を収納することができるディスク型メモリ収納ケースに関する。【解決手段】ディスク型メモリ収納ケースは、ケース本体の底部に、平面略円形の支持枠と、その中央で弾性片の先端にディスク型メモリの中央の貫通孔に掛止める平面略円形状の係止部とを設けてなるディスク型メモリ収納部と、ケース本体の外周の少なくとも三方に沿って突出する本体側壁で前記ディスク型メモリ掛止部から離隔した本体側壁の上部に薄肉のヒンジ部を介して一体に連設された蓋部と、ケース本体の底部から突設されて前記蓋部が形成された本体側壁に沿ってケース本体の底部を前記蓋部の形状に沿って仕切り前記蓋部を開閉可能に掛止めて内ケース部を形成する枠体部とからなるカード型メモリ収納部とを備えてなることを特徴とする。【選択図】  図１
2005025839.tif 000002
【特許請求の範囲】
【請求項１】
ケース本体に設けたディスク型メモリ収納部にディスク型メモリを着脱可能に掛止め蓋体でケース本体を覆って収容するディスク型メモリ収納ケースにおいて、
ディスク型メモリ収納部が、ケース本体の底部から上向きに延びる弾性片と、該弾性片の先端に一体に形成されてディスク型メモリの中央の貫通孔に掛止められる平面略円形状の係止部と、該係止部を中心にして同心大径に設定されディスク型メモリを嵌め込むディスク支承部とからなっており、
前記係止部は、上面に操作する指を押し当てるための操作面と、該操作面の外周に沿って下方へ突出する側壁とからなり下面が開放された略筒形からなっており、
上記側壁に１または複数のスリットを設け、側壁をその中心を軸とした円周方向に複数に分断して前記操作面の外周を反発可能に縮小しうるように設定し、
前記操作面の外周の少なくとも一部が下方の側壁の外周より外側となるように形成してなることを特徴とするディスク型メモリ収納ケース。
【請求項２】
係止部が、弾性片と連接する側に、平面から見て真円からなる輪郭想定線の外側に突出する突出縁部を形成してなることを特徴とする請求項１に記載のディスク型メモリ収納ケース。
【請求項３】
係止部が、平面から見て真円からなる輪郭想定線の中心を基準にして、該中心から突出縁部を通る操作面の径方向の長さＡを、これと同一線上の反対側の操作面の径方向の長さＢよりも長く設定し、
上記操作面の長さに対応する下方の側壁の外周で、前記中心位置から突出縁部を通る側壁の径方向の長さＡ’が前記操作面の径方向の長さＡより短く、これと同一線上で反対側の側壁の径方向の長さＢ’を前記操作面の反対側の径方向の長さＢよりも短く設定してなることを特徴とする請求項２に記載のディスク型メモリ収納ケース。
【請求項４】
係止部が、側壁の弾性片と連接しない側に、突出縁部を側壁から分離する一対のスリットの略延長線上に一対のスリットを設けて分離部を形成し、該分離部の上面外周に沿って円弧状の突条部を設けてなることを特徴とする請求項２または３に記載のディスク型メモリ収納ケース。
【請求項５】
ケース本体に設けたディスク型メモリ収納部にディスク型メモリを着脱可能に掛止め蓋体でケース本体を覆って収容するディスク型メモリ収納ケースにおいて、
ケース本体に形成されたディスク型メモリ収納部の隣に、ケース本体の外周の少なくとも三方に沿って突出する本体側壁で前記ディスク型メモリ収納部から離隔した本体側壁の上部に薄肉のヒンジ部を介して一体に連設された内ケース蓋部と、前記ケース本体の底部から突設されて前記内ケース蓋部が形成された本体側壁に沿ってケース本体の底部を前記内ケース蓋部の形状に沿って仕切ると共に前記内ケース蓋部を開閉可能に掛止めて内ケース部を形成する枠体部とからなるカード型メモリ収納部を備えてなることを特徴とするディスク型メモリ収納ケース。
【請求項６】
ケース本体に設けたディスク型メモリ収納部にディスク型メモリを着脱可能に掛止め蓋体でケース本体を覆って収容するディスク型メモリ収納ケースにおいて、
蓋体の外周の少なくとも三方に沿って突出する蓋体側壁で、開閉側の蓋体側壁に沿って形成されるクリップ部と、
蓋体の天板部の中途位置で突出し横方向に延びる仕切壁部であって、蓋体を閉じてケース本体に掛け止めた際に、前記仕切壁部の先端がディスク型メモリ収納部に掛け止められたディスク型メモリの盤体に接し、または近接して、ディスク型メモリが係止部から外れないように規制しうる雑物品収納部を備えてなることを特徴とするディスク型メモリ収納ケース。
【請求項７】
ケース本体に設けたディスク型メモリ収納部にディスク型メモリを着脱可能に掛止め蓋体でケース本体を覆って収容するディスク型メモリ収納ケースにおいて、
ディスク型メモリ収納部が、ケース本体の底部から上向きに延びる弾性片と、該弾性片の先端に一体に形成されてディスク型メモリの中央の貫通孔に掛止められる平面略円形状の係止部と、該係止部を中心にして同心大径に設定されディスク型メモリを嵌め込むディスク支承部とからなっており、
上記ディスク型メモリ収納部の隣に、ケース本体の外周の少なくとも三方に沿って突出する本体側壁で前記ディスク型メモリ収納部から離隔した本体側壁の上部に薄肉のヒンジ部を介して一体に連設された内ケース蓋部と、前記ケース本体の底部から突設されて前記内ケース蓋部が形成された本体側壁に沿ってケース本体の底部を前記内ケース蓋部の形状に沿って仕切ると共に前記内ケース蓋部を開閉可能に掛止めて内ケース部を形成する枠体部とからなるカード型メモリ収納部を備え、
前記蓋体の外周の少なくとも三方に沿って突出する蓋体側壁で、開閉側の蓋体側壁に沿って形成されるクリップ部と、
蓋体の天板部の中途位置で突出し横方向に延びる仕切壁部であって、蓋体を閉じてケース本体に掛け止めた際に、前記仕切壁部の先端がディスク型メモリ収納部に掛け止められたディスク型メモリの盤体に接し、または近接して、ディスク型メモリが係止部から外れないように規制しうる雑物品収納部を備えてなることを特徴とするディスク型メモリ収納ケース。
【発明の詳細な説明】
【０００１】
【発明の属する技術分野】
この発明はケース本体にディスク型メモリを着脱可能に掛止め蓋体でケース本体を覆って収容するディスク型メモリ収納ケースに関する。
【０００２】
【従来の技術】
ＣＤやＤＶＤなどの中央に貫通孔を有するディスク型メモリを収納するディスク型メモリ収納ケースでは、ケース本体の底部の略中央に形成された弾性片の先端にディスク型メモリの中央の貫通孔に掛止める平面略円形状の係止部が設けられている。
この種の係止部としては、例えば特開２０００−２５５６６９（特許文献１）では、ディスクの貫通孔に挿入する突出体に、ディスク貫通孔の周辺部に乗り上げてディスクの離脱を阻止すると共に、浮上させたディスクを傾斜状態で支持する小突起を設けた構成が開示されている。
しかし、上記構成では、突出体が円柱状からなっており、小突起の撓みだけでディスク貫通孔との係脱を行っているので、小突起が損傷し、切れやすくなるという問題点がある。
次ぎに、この種のディスク型メモリ収納ケースでは、ディスク型メモリに限らず、従来は別々に収納されていた各種のカード型メモリを同時に収納することが便利である。
そこで、例えば特開２００１−５８６８９（特許文献２）のディスク型メモリ収容体および情報提供体では、ディスク型メモリの他に、カード型メモリを収納するためコーナー部に断面Ｌ状の掛止め用の凸部を突設したホルダー構造が開示されている。
上記構成では、ディスク型メモリとカード型メモリとを同一の収納ケースに収納することができるが、カード型メモリは凸部で直接挟圧して掛け止めており、またカード型メモリの端子部分は露出しているので、端子部分を傷つけたり、ゴミなどが付着したりする欠点がある。
【０００３】
【特許文献１】特開２０００−２５５６６９  図５参照
【特許文献２】特開２００１−５８６８９  特許公開公報７頁  ００３１〜００３４  図１参照
【０００４】
【発明が解決しようとする課題】
この発明は上記事情に鑑みて創案されたものであって、第１の課題は、ディスク型メモリ収納部で、ディスク型メモリの中央の貫通孔に掛止める係止部の外周を拡縮可能として、容易に着脱することができる係止部を備えたディスク型メモリ収納ケースを提供することにある。
この発明の第２の課題は、ディスク型メモリ収納ケースのケース本体内に、ディスク型メモリ収納部と共にカード型メモリ収納用の内ケース部を備えたディスク型メモリ収納ケースを提供することにある。
この発明の第３の課題は、ディスク型メモリ収納ケースの蓋体側に、写真やカード、小冊子などの厚みの薄い雑物品をクリップで掛止める雑物品収納部を設けると共に、雑物品収納部を二分する仕切壁部が収納されたディスク型メモリを外れないように規制しうるようにしたディスク型メモリ収納ケースを提供することにある。
【０００５】
【課題を解決するための手段】
前記第１の課題を達成するために、請求項１の発明では、
ケース本体に設けたディスク型メモリ収納部にディスク型メモリを着脱可能に掛止め蓋体でケース本体を覆って収容するディスク型メモリ収納ケースにおいて、
ディスク型メモリ収納部が、ケース本体の底部から上向きに延びる弾性片と、該弾性片の先端に一体に形成されてディスク型メモリの中央の貫通孔に掛止められる平面略円形状の係止部と、該係止部を中心にして同心大径に設定されディスク型メモリを嵌め込むディスク支承部とからなっており、
前記係止部は、上面に操作する指を押し当てるための操作面と、該操作面の外周に沿って下方へ突出する側壁とからなり下面が開放された略筒形からなっており、
上記側壁に１または複数のスリットを設け、側壁をその中心を軸とした円周方向に複数に分断して前記操作面の外周を反発可能に縮小しうるように設定し、
前記操作面の外周の少なくとも一部が下方の側壁の外周より外側となるように形成してなる、という技術的手段を講じている。
前記係止部が、弾性片と連接する側に、平面から見て真円からなる輪郭想定線の外側に突出する突出縁部を形成する構成でもよい。
その場合に、係止部が、平面から見て真円からなる輪郭想定線の中心を基準にして、該中心から突出縁部を通る操作面の径方向の長さＡを、これと同一線上の反対側の操作面の径方向の長さＢよりも長く設定し、上記操作面の長さに対応する下方の側壁の外周で、前記中心位置から突出縁部を通る側壁の径方向の長さＡ’が前記操作面の径方向の長さＡより短く、これと同一線上で反対側の側壁の径方向の長さＢ’を前記操作面の反対側の径方向の長さＢよりも短く設定する構成としてもよい。
また、係止部には、側壁の弾性片と連接しない側に、突出縁部を側壁から分離する一対のスリットの略延長線上に一対のスリットを設けて分離部を形成し、該分離部の上面外周に沿って円弧状の突条部を設けた構成としてもよい。
【０００６】
また、第２の課題を達成するために、請求項５の発明では、
ケース本体に設けたディスク型メモリ収納部にディスク型メモリを着脱可能に掛止め蓋体でケース本体を覆って収容するディスク型メモリ収納ケースにおいて、
ケース本体に形成されたディスク型メモリ収納部の隣に、ケース本体の外周の少なくとも三方に沿って突出する本体側壁で前記ディスク型メモリ収納部から離隔した本体側壁の上部に薄肉のヒンジ部を介して一体に連設された内ケース蓋部と、前記ケース本体の底部から突設されて前記内ケース蓋部が形成された本体側壁に沿ってケース本体の底部を前記内ケース蓋部の形状に沿って仕切ると共に前記内ケース蓋部を開閉可能に掛止めて内ケース部を形成する枠体部とからなるカード型メモリ収納部を備えてなる、という技術的手段を講じている。
【０００７】
第３の課題を達成するために、請求項６の発明では、
ケース本体に設けたディスク型メモリ収納部にディスク型メモリを着脱可能に掛止め蓋体でケース本体を覆って収容するディスク型メモリ収納ケースにおいて、
蓋体の外周の少なくとも三方に沿って突出する蓋体側壁で、開閉側の蓋体側壁に沿って形成されるクリップ部と、
蓋体の天板部の中途位置で突出し横方向に延びる仕切壁部であって、蓋体を閉じてケース本体に掛け止めた際に、前記仕切壁部の先端がディスク型メモリ収納部に掛け止められたディスク型メモリの盤体に接し、または近接して、ディスク型メモリが係止部から外れないように規制しうる雑物品収納部を備えてなる、という技術的手段を講じている。
【０００８】
また、前記第２と第３の課題を達成するために請求項７の発明では、
ケース本体にディスク型メモリを着脱可能に掛止め蓋体でケース本体を覆って収容するディスク型メモリ収納ケースにおいて、
ケース本体の底部に、平面略円形のディスク支承部と、その中央で弾性片の先端にディスク型メモリの中央の貫通孔に掛止める平面略円形状の係止部とを設けてなるディスク型メモリ収納部と、
ケース本体の外周の少なくとも三方に沿って突出する本体側壁で前記ディスク型メモリ掛止部から離隔した本体側壁の上部に薄肉のヒンジ部を介して一体に連設された蓋部と、ケース本体の底部から突設されて前記蓋部が形成された本体側壁に沿ってケース本体の底部を前記蓋部の形状に沿って仕切り前記蓋部を開閉可能に掛止めて内ケース部を形成する枠体部とからなるカード型メモリ収納部と、
蓋体の外周の少なくとも三方に沿って突出する本体側壁で、開閉側の本体側壁に沿って形成されるクリップ部と、蓋体の天板部の中途位置で突出し横方向に延びる仕切壁部であって、蓋体を閉じてケース本体に掛け止めた際に、前記仕切壁部の先端がディスク型メモリ収納部に掛け止められたディスク型メモリの盤体に接し、または近接して、ディスク型メモリが係止部から外れないように規制しうる雑物品収納部とを備えてなる、という技術的手段を講じている。
【０００９】
【発明の実施の形態】
以下に、この発明のディスク型メモリ収納ケースの好適実施例を図面を参照して説明する。
［第１実施例のディスク型メモリ収納ケース］
図１に示すディスク型メモリ収納ケース１は、ケース本体２に蓋体３がヒンジピンＨ１で枢着された２ピースの公知のプラスチック製のケースからなっている。
【００１０】
［ケース本体・ディスク型メモリ収納部］
ケース本体２は、箱形からなっており、図示例の場合、その底部上に収納部形成片２’が嵌め込まれて組み立てられている。
上記ケース本体２に形成されるディスク型メモリ収納部Ａ１は、ケース本体２の底部となるから収納部形成片２’から上向きに延びる弾性片４と、該弾性片４の先端に一体に形成されてＣＤなどのディスク型メモリの中央の貫通孔に掛止められる平面略円形状の係止部５と、該係止部５を中心にして同心大径に設定され前記ディスク型メモリを嵌め込むディスク支承部９とからなっている。
なお、ディスク型メモリがＤＶＤの場合には、ディスク支承部９は、後述の実施例のようにＤＶＤの周縁部を中空位置で掛止める段部を有する構成が好ましい。
【００１１】
［係止部］
ここで、ケース本体２のディスク支承部９の底面中央には、ハ字状の切込線４ａで分離された弾性片４の先端に平面略円形状の係止部５の後部が一体に連設されている。
該係止部５は、図２および図３に示すように、上面に操作する指を押し当てるための操作面５ａと、該操作面５ａの外周に沿って下方へ突出する側壁５ｂとからなり下面が開放された略筒形からなっている。
また、ディスク支承部９となる凹部底面には係止部５に対向して係止部５が押し下げられた際に底面とぶつからないように略円形状の切抜き孔４ｂが穿設されており前記切込線４ａと繋がっている。
【００１２】
本実施例の場合、係止部５は、弾性片４と連接する後方側に、平面から見て真円からなる輪郭想定線Ｒ（図３中、点線で示す）の外側に突出する突出縁部６を形成している。
これにより、係止部５は、図４に示すように、平面から見て真円からなる輪郭想定線Ｒの中心Ｐを基準にして、該中心Ｐから突出縁部６を通る操作面５ａの径方向の長さＡを、これと同一線上の反対側の操作面５ａの径方向の長さＢよりも長く（Ａ＞Ｂ）設定される。
【００１３】
また、上記操作面５ａの長さに対応する下方の側壁５ｂの外周で、前記中心Ｐから突出縁部６を通る側壁５ｂの径方向の長さＡ’が前記操作面５ａの径方向の長さＡより短く（Ａ＞Ａ’）、これと同一線上で反対側の側壁５ｂの径方向の長さＢ’を前記操作面５ａの反対側の径方向の長さＢよりも短く（Ｂ＞Ｂ’）なるように設定している（図４参照）。
【００１４】
次ぎに、前記側壁５ｂには、複数（図示例では４つ）のスリットＳ１、Ｓ２が穿設されており、側壁５ｂをその中心を軸とした円周方向に複数（４つ）に分断している。
即ち、スリットＳ２は、前記突出縁部６を他から分離するように側壁５ｂの後方で両側に一対設けられており、またこのスリットＳ２の延長線上の前方には、一対のスリットＳ１が設けられ、側壁５ｂの前端側を分離して分離部８を形成している。
【００１５】
換言すると、係止部５の中心を軸に１８０度間隔で一対のスリットＳ１、Ｓ２が配置されており、側壁５ｂの前端側を分離して分離部８が形成され、後端側を分離して突出縁部６が形成されている。
なお、前記突出縁部６の両側に形成されたスリットＳ２は、弾性片４の先端中央で突出縁部６の下端が自由端となるように切り欠かれた切欠部７と連なっている。
【００１６】
図５に示す係止部５では、前記スリットＳ１で区切られた側壁５ｂの前端側の分離部８に、その上面外端に沿って円弧状の突条部８ａが突設されている。
突出縁部６と分離部８とを他の側壁５ｂと一体に連接する上面の操作面５ａが、中央部分を下方へ窪ませると共に突出縁部６側が分離部７側よりも高くなるように湾曲形成されている場合には、前記突条部８ａによって上端の位置を突出縁部６の上面とほぼ同じ高さにして、係止部５から外れたディスク型メモリを中空に浮き上げて支持することができる。
【００１７】
また、図７に示す係止部５では、一対のスリットＳ１〜Ｓ４を係止部５の中心を軸に９０度間隔で形成しているので、８本のスリットで側壁５ｂが８分割されており、係止部５の外周を一層縮めやすくしている。
このように、この発明ではスリットの数は特に限定されず、１または複数を設けて側壁５ｂを分離し、縮小方向に撓ませることができるようになっていればよい。
【００１８】
［ディスク型メモリの掛止め］
そこで、ＣＤやＤＶＤなどのディスク型メモリＭ１を係止部５に掛止める際には、ディスク型メモリがディスク支承部９に嵌め込まれて位置決めされ、ディスク型メモリの貫通孔４１が突出縁部６または分離部８のいずれか（図示例では突出縁部６）の外周に沿って掛け止められ、分離部８側または突出縁部６側（図示例では分離部８）の上に貫通孔４１が載置される（図６（ａ）（ｂ）参照）。
【００１９】
そこで、ディスク型メモリをディスク支承部９側に押しつけると、前記側壁５ａの上面の操作面５ａの外周が、スリットＳ１ないしＳ２によって縮小方向に撓み（図６（ｃ）参照）、貫通孔４１が突出縁部６および分離部８を乗り越えて、側壁５ｂの下部側まで通過し外嵌される。
この側壁５ｂの下部は、前述のように操作面５ａの外周より小径に設定されており、突出縁部６および分離部８は弾性反発力で元の形状に復帰するので、ディスク型メモリが側壁５ｂの下部側から外れることがない。
【００２０】
［ディスク型メモリの取り外し］
ディスク型メモリを係止部５から外す際には、操作面５ａを弾性片４の弾性に抗して下に押し込み（図６（ｃ）参照）、前記突出縁部６ないし分離部８をスリットＳ１、Ｓ２によって縮小方向に撓ませて操作面５ａの外周を縮め、貫通孔４１を係止部５から抜け出させることができる（図６（ｄ）参照）。
【００２１】
この際に、分離部８に突条８ａを設けている場合は、突出縁部６の上面と共に、あるいはいずれか単独で、抜け出た後のディスク型メモリの貫通孔４１の内周縁に下から衝合して、ディスク型メモリを浮き上げて保持するので、ディスク型メモリの取り出しが一層容易になる。
上記係止部５の構造（係止手段、掛止手段）は、ディスク型メモリ収納ケース１が、ディスク型メモリを収納しうる公知の構造を用いることができ、この発明ではその構造は漸次実施例に限定さない。
【００２２】
［第２実施例のディスク型メモリ収納ケース］
次ぎに、ディスク型メモリ収納部Ａ１の外に、カード型メモリ収納部Ａ２と、雑物品収納部Ａ３とを備えたディスク型メモリ収納ケース１の実施例について説明する。
図８から図１０に示すディスク型メモリ収納ケース１は、ケース本体２と蓋部３とが、背部となる連設部２０の両側に形成された薄肉のヒンジ部Ｈ２、Ｈ３を介して屈曲自在に一体成形されたプラスチック製のケースからなっている。
【００２３】
ケース本体２は、底部２ａと、該底部２ａの外周に沿って上方へ突設し、連設部２０のヒンジ部Ｈ２を除いた三方に沿って平面コ字状に形成された本体側壁２ｂとからなっている。
そして、本体側壁２ｂの開閉側の辺（説明の便宜上２ｂ’とする）には、蓋体３との係合用の係合凹部１８と、指掛け用の窪み部１９とが形成されている。
【００２４】
［ディスク型メモリ収納部］
そして、上記ケース本体２の底部２ａにはＣＤやＤＶＤなどのディスク型メモリ収納部Ａ１が形成されている。
このディスク型メモリ収納部Ａ１は、その底面２ａの略中央で、切込線３で分離されて上方へ傾斜する弾性片４と、該弾性片４の先端に一体に形成されてディスク型メモリの中央の貫通孔４１に掛止める平面略円形状の係止部５とを備えている。
【００２５】
［ディスク支承部］
また、該係止部５を中心として同心大径で環状に形成されたディスク支承部９が設けられており、その内周側に形成された環状の段部９ａによってディスク型メモリの一例として示すＤＶＤの周縁部を中空位置で掛止める構成となっている。
【００２６】
このディスク支承部９は、その環状の一部に凹部９ｂを設けて、掛け止められたディスク型メモリＭ２の周縁部を指で掴めるようにしてある。
これにより、ディスク型メモリ４０は、環状の段部９ａに沿って回転することができる公知構成になっている。
【００２７】
ここで、弾性片４および係止部５は、前記実施例と同様の構成であるので、その説明を省略する。
そして、図１２に点線で示すように、ディスク型メモリＭ１をディスク支承部９および係止部５によって掛け止めて収納することができる。
この実施例では、ディスク型メモリ収納部Ａ１は、ディスク型メモリを係脱可能に掛け止めて収納しうるものであればよく、その掛止め構造は前記実施例に限定されず、公知の掛止めないし係合構成を用いてもよい。
【００２８】
［カード型メモリ収納部］
次ぎに、カード型メモリ収納部Ａ２は、ケース本体２の本体側壁２ｂで前記ディスク型メモリ収納部Ａ１から離隔した本体側壁（図示例では下方の辺となる本体側壁で、説明の便宜上２ｂ”とする）の上部が薄肉のヒンジ部Ｈ４に形成されている（図１３参照）。
【００２９】
そして、このヒンジ部Ｈ４を介して、矩形の内ケース蓋部１２が一体に連設され、ケース本体２の外側へ開くようになっている。
この内ケース蓋部１２には、内面側にヒンジ部Ｈ４を除いた三方に突壁部１３が形成されており、開閉側の辺（説明の便宜上１３’とする）の中途位置には凹凸係合部の一方の係合構成部（図示例では突部）１４が突設されている。
【００３０】
一方、ケース本体２の底部２ａには、前記内ケース蓋部１２に形成された突壁部１３、１３’に沿って、前記内ケース蓋部１２の形状に対応して内ケース本体の側壁となる平面コ字状の突壁１５が形成される。
そして、この突壁１５の内側の辺（説明の便宜上１５’とする）の中途位置には、前記一方の係合構成部１４に対応する他方の係合構成部（図示例では凹部）１６が形成されている。
【００３１】
そこで、前記内ケース蓋部１２をヒンジ部Ｈ４を支点にして閉じて、内ケース蓋部１２の突壁部１３、１３’を突壁１５、１５’内に嵌合し、蓋部１２を突壁１５、１５’上に支承して内ケース部となるカード型メモリ収納部Ａ２が形成される。
また、図示例では、前記突壁１５で仕切られた空間を左右に二分する区画壁部１７が形成されており、図１２で点線で示すように２つのカード型メモリＭ２をそれぞれ収納することができる。
【００３２】
ここでカード型メモとしては、例えば、スマートメディア、ＳＤメモリーカード、マルチメディアカード、コンパクトフラッシュ（登録商標）、メモリースティック、ｘ・Ｄピクチャーカードその他カード型の各種メモリが含まれる。
これにより、ケース本体２には、ディスク型メモリ収納部Ａ１とカード型メモリ収納部Ａ２とが形成される。
【００３３】
次ぎに、蓋体３は、図８、図１０に示すように天板部３ａと、該天板部３ａの外周で前記ヒンジ部Ｈ３を除いた三方に沿って突出する蓋体側壁３ｂとを有している。
そして、蓋体側壁３ｂの開閉側の辺（説明の便宜上３ｂ’とする）には、ケース本体２との係合用の爪部３１が突設されており、前記ケース本体２の凹部１８と係脱可能となっている。
【００３４】
［雑物品収納部・仕切壁部］
この蓋体３の天板部３ａで、前記蓋体側壁３ｂの開閉側の辺３ｂ’には、一対のクリップ部３３が形成されている。
このクリップ部３３は、天板部３ａから立ち上がって波形に延びており、クリップ部３３に対応する天板部３ａには開口３３ａが切り抜かれている。このようにクリップ部３３は、その上方の中空位置に波形に曲成されて延びる形状で、弾発力を有する公知形状からなっている（図１０参照）。
【００３５】
また、上記一対のクリップ部３３の中間位置には、天板部３ａの中途位置から突出し、横方向に延びる仕切壁部３４が立設されている。
この仕切壁部３４は、蓋体３を閉じてケース本体２に掛け止めた際に、前記仕切壁部３４の先端がディスク型メモリ収納部Ａ１に掛け止められたディスク型メモリの盤体に近接するように配置されている。
即ち、本実施例では、仕切壁部３４の中央に山形に隆起する押さえ部３５が一体に形成されている。
【００３６】
該押さえ部３５は、図１２で点線で示したディスク型メモリＭ１の貫通孔４１の外側で、レーベル面４３との間に介設された透明な基盤部４２に近接ないしは接するように配置されている。
これはレーベル面４２が、データの記録層の裏面でレーベル面側の保護層が極めて薄いために、レーベル面４２を傷つけて記録層に損傷を与えないためである。
【００３７】
これにより、蓋体３側は、前記蓋体側壁３ｂと仕切壁部３４とで、上下に二分され、それぞれに厚みの薄いもの、例えば写真や書類、カード、小冊子、あるいはＦＤまたは袋に入れた小物などクリップで止めることができる各種の薄い物品（図１２で点線で示す）Ｍ３をクリップ部３３を用いて掛止めることができる雑物品収納部Ａ３が形成される。
なお、３６は、蓋体３でヒンジ部Ｈ３寄りに立設されて雑物品用が動かないように規制するストッパ壁である。
【００３８】
上記実施例では、ディスク型メモリ収納ケース１に、ディスク型メモリ収納部Ａ１と、カード型メモリ収納部Ａ２と、雑物品収納部Ａ３とを設けた構成を示したが、この発明では、第１の実施例で示したようにディスク型メモリ収納部Ａ１のみを有するもの、あるいはディスク型メモリ収納部Ａ１に加えてカード型メモリ収納部Ａ２または雑物品収納部Ａ３のいずれか一方を設けた構成であってもよい。
その他、要するにこの発明の要旨を変更しない範囲で種々設計変更しうること勿論である。
【００３９】
【発明の効果】
上記のように、ディスク型メモリ収納ケースの第１の発明では、ディスク型メモリの中央の貫通孔に掛止める係止部を、その外周が縮まるようにスリットを設けたので、従来のような小突起を設ける必要がなく、係止部の強度と信頼性を向上させることができる。
また、第２の発明では、ディスク型メモリ収納部の他に蓋付きの内ケース部となるカード型メモリ収納部をケース本体に一体に設けたので、カード型メモリを安全に収納することができる。
更に、第３の発明では、ディスク型メモリ収納部の他に雑物品収納部を設けたので、各種の薄物を蓋体側に収納することができる。
また、雑物品収納部を二分するように仕切壁部を設けておけば、収納ケースを閉じた際に前記仕切壁部でディスク型メモリ収納部に係止されたディスク型メモリの抜け落ちを規制することができる。
【図面の簡単な説明】
【図１】第１実施例のディスク型メモリ収納ケースを開いた状態を示す平面図である。
【図２】図１の係止部および弾性片の拡大平面図である。
【図３】同係止部および弾性片の斜視図である。
【図４】同係止部の側断面図である。
【図５】係止部の異なる実施例を示す斜視図である。
【図６】係止部と貫通孔との関係を示すもので、（ａ）は係止部のみ、（ｂ）はディスク型メモリが係止部上に乗せられた状態、（ｃ）は係止部が貫通孔によってその外周を縮めた状態、（ｄ）は係止部から貫通孔が抜け出た状態を示す模式図である。
【図７】係止部の異なる実施例を示す平面図である。
【図８】第２実施例のディスク型メモリ収納ケースおよび内ケースを開いた状態を示す平面図である。
【図９】図８のケース本体側の拡大平面図である。
【図１０】図８の蓋体側の拡大断面図である。
【図１１】蓋体の本体側壁の一部を切り欠いたディスク型メモリ収納ケースの側面図である。
【図１２】内ケースのヒンジ部を中心とした要部断面図である。
【図１３】ディスク型メモリ、カード型メモリおよび雑物品を収納したディスク型メモリ収納ケースを開いた状態を示す平面図である。
【符号の説明】
１      ディスク型メモリ収納ケース
２      ケース本体
３      蓋体
５      係止部
６      突出縁部
８      分離部
９      ディスク支承部
１２      内ケース蓋部
１３      突壁部
３３      クリップ部
３４      仕切壁部
３５      押さえ部
Ａ１      ディスク型メモリ収納部
Ａ２      カード型メモリ収納部
Ａ３      雑物品収納部
Ｍ１      ディスク型メモリ
Ｍ２      カード型メモリ
Ｍ３      雑物品
４１      ディスク型メモリの貫通孔
【図１】
2005025839.tif 000003
【図２】
2005025839.tif 000004
【図３】
2005025839.tif 000005
【図４】
2005025839.tif 000006
【図５】
2005025839.tif 000007
【図６】
2005025839.tif 000008
【図７】
2005025839.tif 000009
【図８】
2005025839.tif 000010
【図９】
2005025839.tif 000011
【図１０】
2005025839.tif 000012
【図１１】
2005025839.tif 000013
【図１２】
2005025839.tif 000014
【図１３】
2005025839.tif 000015